(57)【要約】【課題】電子レンジによる加熱時に蒸気を抜いて破裂を防止すると同時に内容物を蒸すことができ、しかも容易に開封予定線に沿って引き裂いて開封ができる蒸気抜き包装袋を提供できる。【解決手段】シーラント層とシーラント以外の層とを積層した積層フィルム（２，３）からなる包装袋であって、  積層フィルムに、開封予定線と交差するか或いは重なる蒸気口（９）と、蒸気口及びその周辺を避けて開封予定線上に易開封線（１０、１２）とを有し、  蒸気口、易開封線は、いずれも、シーラント以外の層側に開口した溝であって、蒸気口の深さと、シーラント以外の層の厚みと、易開封線の深さとは、蒸気口の深さ＞シーラント以外の層の厚み＞易開封線の深さの関係を満たすことを特徴とする蒸気抜き包装袋。【選択図】図１
2019069797.tif 000002
【特許請求の範囲】
【請求項１】
シーラント層とシーラント以外の層とを積層した積層フィルムからなる包装袋であって、
積層フィルムに、開封予定線と交差するか或いは重なる蒸気口と、蒸気口及びその周辺を避けて開封予定線上に易開封線とを有し、
蒸気口、易開封線は、いずれも、シーラント以外の層側に開口した溝であって、蒸気口の深さと、シーラント以外の層の厚みと、易開封線の深さとは、蒸気口の深さ＞シーラント以外の層の厚み＞易開封線の深さの関係を満たすことを特徴とする蒸気抜き包装袋。
【請求項２】
積層フィルムは２枚の同じ四角形状のものからなり、蒸気口を有する方を表フィルムとし、他方を裏フィルムとし、
表フィルムと裏フィルムとが、シーラント層同士が対向されて重ね合わされ、左側部と右側部と下部とに、それぞれ、左側シール部と右側シール部と下シール部とを有し、
左側シール部と右側シール部とに、それぞれ、下部から同じ高さの位置に、ノッチを有し、
左側シール部のノッチと右側シール部のノッチとを結ぶ直線を、この線に沿って表フィルム及び裏フィルムとを引き裂いて開封を予定する開封予定線とする請求項１記載の蒸気抜き包装袋。
【発明の詳細な説明】
【技術分野】
【０００１】
本発明は、蒸気抜き包装袋に関する。
【背景技術】
【０００２】
従来から、フィルムからなる包装袋であって、図３（ａ）に示すように、そのフィルムの表面に、そのフィルムを貫通しない溝からなる蒸気口１０３を有し、電子レンジによる加熱時に、包装袋内の内容物に含まれる水分が水蒸気となり内圧が高まって、図３（ｂ）に示すように、蒸気口１０３が開き、開いた蒸気口から蒸気を抜いて破裂を防止すると同時に内容物を蒸す蒸気抜き包装袋１００が知られている（例えば特許文献１参照）。
【０００３】
ところで、蒸気抜き包装袋を、直線カットフィルムを用いて作成した場合、電子レンジによる加熱時に、包装袋内の内容物に含まれる水分が水蒸気となり内圧が高まって、図４に示すように、蒸気口１０３が開かれるとともに、蒸気口１０３の周辺にも裂け目１０４が形成されて、過度に蒸気が抜けて、内容物を蒸せなくなる。
【０００４】
しかしながら、蒸気抜き包装袋を、直線カットフィルムを用いないで作成した場合、フィルムを引裂いて開封しようとすると、開封を予定する線（以後、開封予定線とも云う）に沿って引裂けないことがあり、例えば、図５に示すように、左右のノッチを結ぶ直線を開封予定線としているのに、表フィルム１０１と裏フィルム１０２とが、上下逆方向に引裂かれる又裂きの現象が生じることがある。
【先行技術文献】
【特許文献】
【０００５】
【特許文献１】特開２０１５−１３４４１号公報
【発明の概要】
【発明が解決しようとする課題】
【０００６】
本発明は、このような事情を考慮してなされたもので、電子レンジによる加熱時に蒸気を抜いて破裂を防止すると同時に内容物を蒸すことができ、しかも容易に開封予定線に沿って引き裂いて開封ができる蒸気抜き包装袋を提供できることを課題とする。
【課題を解決するための手段】
【０００７】
本発明において上記課題を解決するために、まず請求項１の発明では、シーラント層とシーラント以外の層とを積層した積層フィルムからなる包装袋であって、
積層フィルムに、開封予定線と交差するか或いは重なる蒸気口と、蒸気口及びその周辺を避けて開封予定線上に易開封線とを有し、
蒸気口、易開封線は、いずれも、シーラント以外の層側に開口した溝であって、蒸気口の深さと、シーラント以外の層の厚みと、易開封線の深さとは、蒸気口の深さ＞シーラント以外の層の厚み＞易開封線の深さの関係を満たすことを特徴とする蒸気抜き包装袋。
【０００８】
また、請求項２の発明では、積層フィルムは２枚の同じ四角形状のものからなり、蒸気口を有する方を表フィルムとし、他方を裏フィルムとし、
表フィルムと裏フィルムとが、シーラント層同士が対向されて重ね合わされ、左側部と右側部と下部とに、それぞれ、左側シール部と右側シール部と下シール部とを有し、
左側シール部と右側シール部とに、それぞれ、下部から同じ高さの位置に、ノッチを有し、
左側シール部のノッチと右側シール部のノッチとを結ぶ直線を、この線に沿って表フィルム及び裏フィルムとを引き裂いて開封を予定する開封予定線とする請求項１記載の蒸気抜き包装袋としたものである。
【発明の効果】
【０００９】
請求項１に係る発明は、蒸気口の深さと、シーラント以外の層の厚みと、易開封線の深さとは、蒸気口の深さ＞シーラント以外の層の厚み＞易開封線の深さの関係にあるので、電子レンジで加熱すると、内容物に含まれる水分が水蒸気となって高まった内圧で、蒸気口で積層フィルムが裂けて蒸気口が開くが、易開封線では積層フィルムは裂けず、さらに、易開封線が、蒸気口及びその周辺を避けて設けられているので、積層フィルムが裂けることが、蒸気口から易開封線に伝わることが防止されて、蒸気口のみから蒸気を抜いて破裂を防止すると同時に内容物を蒸すことができるという効果がある。
【００１０】
また、請求項１の発明は、易開封線は、開封予定線上にあるので、積層フィルムは、開封予定線に沿って引き裂けて、容易に開封することができ、さらに、蒸気口は、開封予定線と交差するか或いは重なるので、蒸気口は切り取られて、開封後、内容物を取り出す際に、蒸気口からのこぼれだしによるやけどのリスクを減らせるという効果がある。
【００１１】
また、請求項２の発明は、上記請求項１の発明の効果に加えて、左側シール部のノッチと右側シール部のノッチとを結ぶ直線を、この線に沿って表フィルム及び裏フィルムとを引き裂いて開封を予定する開封予定線とし、易開封線は、開封予定線上にあるので、ノッチから表フィルム及び裏フィルムを引き裂くと、表フィルム及び裏フィルムは、それぞれ、容易に開封予定線に沿って引き裂けて、又裂きの現象が生じることなく、開封することができるという効果がある。
【００１２】
以上、本発明は、電子レンジによる加熱時に蒸気を抜いて破裂を防止すると同時に内容物を蒸すことができ、しかも容易に開封予定線に沿って引き裂いて開封ができる蒸気抜き包装袋を提供できるという効果がある。
【図面の簡単な説明】
【００１３】
【図１】本発明の蒸気抜き包装袋を説明する図であって、（ａ）は表面図、（ｂ）は裏面図。
【図２】本発明の蒸気抜き包装袋を形成する積層フィルムの断面図であって、（ａ）は蒸気口を含む断面図、（ｂ）は易開封線を含む断面図。
【図３】従来の蒸気抜き包装袋であって、（ａ）は加熱前、（ｂ）は加熱時のものを説明する図。
【図４】従来の蒸気抜き包装袋を、直線カットフィルムを用いて作成した場合の問題を説明する図。
【図５】従来の蒸気抜き包装袋を、直線カットフィルムを用いないで作成した場合の問題を説明する図。
【発明を実施するための形態】
【００１４】
以下に、本発明の一実施形態を説明する。
【００１５】
本発明の一実施形態は、図１及び図２に示すように、シーラント層２１とシーラント以外の層２２とを積層した２枚の同じ四角形状の積層フィルム２０のうち、蒸気口９を有す
る方を表フィルム２とし、他方を裏フィルム３として有し、
表フィルム２と裏フィルム３とが、シーラント層同士が対向されて重ね合わされ、左側部と右側部と下部とに、それぞれ、左側シール部４と右側シール部５と下シール部６とを有し、
左側シール部４と右側シール部５とに、それぞれ、下部から同じ高さの位置に、ノッチ７とノッチ８とを有し、
ノッチ７とノッチ８とを結ぶ直線を、この線に沿って表フィルム２及び裏フィルム３とを引き裂いて開封を予定する開封予定線として、
蒸気口９は、開封予定線と交差するか或いは重なり、
表フィルム２に、易開封線１０を、左端がノッチ７に一致し、右端がノッチ８に一致し、蒸気口９及びその周辺を避けて不連続に開封予定線上に有し、裏フィルム３に、易開封線１２を、左端がノッチ７に一致し、右端がノッチ８に一致して開封予定線上に有し、
蒸気口９、易開封線１０，１２は、いずれも、シーラント以外の層２２側に開口した溝であって、蒸気口９の深さＨと、シーラント以外の層２２の厚みと、易開封線１０，１２の深さｈとは、蒸気口９の深さＨ＞シーラント以外の層２２の厚み＞易開封線１０，１２の深さｈの関係を満たす蒸気抜き包装袋１である。
【００１６】
シーラント層２１は、ヒートシール可能な熱可塑性樹脂からなり、このような熱可塑性樹脂としては、例えば、無延伸ポリプロピレン（ＣＰＰ）、低密度ポリエチレン（ＬＤＰＥ）、直鎖状低密度ポリエチレン（ＬＬＤＰＥ）などが挙げられる。特に、直鎖状低密度ポリエチレン（ＬＬＤＰＥ）は、衝撃破壊質量が１００グラム（ｇ）以上８００ｇ以下であり、伸びやすく、上部から内容物を収納し、上部に上シール部を設けて密封した後、電子レンジで加熱すると、蒸気口９に複数の小孔が形成され、破裂を起こさずに蒸気が外に逃がれ、蒸気抜き包装袋１の膨張状態が保持され、好適に蒸らしを行うことができるので好ましい。
【００１７】
シーラント以外の層２２は、外層として内容物を保護する観点から、比較的剛性の高い樹脂からなるのが好ましく、このような樹脂としては、例えば、ポリエチレンテレフタレート(ＰＥＴ)、二軸延伸ポリプロピレン（ＯＰＰ）、二軸延伸ナイロン（ＯＮｙ）などを挙げることができ、これらには限られない。
【００１８】
シーラント以外の層２２は、必ずしも単層でなくてもよく、複数の層を積層したものでもよい。例えば、印刷や蒸着等の二次加工を施すことにより、意匠性を高めたり、各種情報が表示されたりしてもよい。このような二次加工は、シーラント以外の層２２のいずれの面に行われてもよい。また、例えば、バリア性を有する層を含んでも良い。
【００１９】
シーラント層２１とシーラント以外の層２２とを積層する方法には特に制限はなく、接着層を間に配置して公知のドライラミネーション処理を行うことにより接合しても、他の樹脂を挟んだサンドイッチラミネーションや共押出し等によってもよい。
【００２０】
ノッチ７及びノッチ８は、それぞれ、図１に示すような、五角形の切り欠けからなる五角（亀甲）ノッチ以外にも、Ｖ字状の切り欠けからなるＶノッチ、Ｕ字状の切り欠けからなるＵノッチ、Ｉ字状の切り込みからなるＩノッチ、キズ加工からなるノッチノン（登録商標）などでも良いが、切り欠けからなるノッチのように、巾の持つものが、易開封線の端部をノッチと一致させ易いので好ましい。
【００２１】
蒸気口９、易開封線１０，１２は、積層フィルム２０のシーラント以外の層２２側からのレーザー照射によるレーザー加工で形成する。レーザー加工を用いると、レーザーヘッドの出力と走査速度を調整することで、蒸気口９、易開封線１０，１２の形状や深さを比較的容易に調節することができる。
【００２２】
本発明の一実施形態の蒸気抜き包装袋１を、積層フィルム２０を二枚重ねて連続的に製造する場合、レーザー加工は、隣り合う包装袋で、ほぼ連続して行う。
【００２３】
尚、蒸気口９、易開封線１０，１２の形成は、レーザー加工には限られず、他の方法を用いることも可能である。
【００２４】
本発明の一実施形態の蒸気抜き包装袋１は、上部から内容物が収納され、上部に上シール部が設けられて密封された後、電子レンジで加熱すると、蒸気口９の深さＨと、シーラント以外の層２２の厚みと、易開封線１０，１２の深さｈとは、蒸気口９の深さＨ＞シーラント以外の層２２の厚み＞易開封線１０，１２の深さｈの関係を満たすので、内容物に含まれる水分が水蒸気となって高まった内圧で、蒸気口９で積層フィルム２０が裂けて蒸気口９が開くが、易開封線１０，１２では積層フィルム２０は裂けず、さらに、易開封線１０が、蒸気口９及びその周辺を避けて、不連続に設けられているので、積層フィルム２０が裂けることが、蒸気口９から易開封線１０に伝わることが防止されて、蒸気口９のみから蒸気を抜いて破裂を防止すると同時に内容物を蒸すことができる。
【００２５】
そして、電子レンジで加熱後、ノッチ７或いはノッチ８から表フィルム２及び裏フィルム３を引き裂くと、易開封線１０，１２は、左端がノッチ７に一致し、右端がノッチ８に一致し、開封予定線上にあるので、表フィルム２及び裏フィルム３は、それぞれ、容易に開封予定線に沿って引き裂けて開封することができ、さらに、蒸気口９は、開封予定線と交差するか或いは重なるので、蒸気口９は切り取られて、開封後、内容物を取り出す際に、蒸気口９からのこぼれだしによるやけどのリスクを減らせる。
【実施例】
【００２６】
以下に、本発明の一実施形態の実施例と、それの比較例とを説明する。
【００２７】
＜実施例＞
実施例の蒸気抜き包装袋は、シーラント層として厚さ６０μｍのＬＬＤＰＥを用い、シーラント以外の層として厚さ１５μｍのＯＮｙを用い、蒸気口の深さＨを１８μｍとし、易開封線の深さｈを１０μｍとする蒸気抜き包装袋である。
【００２８】
このように、実施例の蒸気抜き包装袋は、蒸気口の深さＨと、シーラント以外の層の厚みと、易開封線の深さｈとは、蒸気口の深さＨ＞シーラント以外の層の厚み＞易開封線の深さｈの関係を満たす。
【００２９】
＜比較例＞
比較例の蒸気抜き包装袋は、シーラント層として厚さ６０μｍのＬＬＤＰＥを用い、シーラント以外の層として厚さ１５μｍのＯＮｙを用い、蒸気口の深さＨを１８μｍとし、易開封線の深さｈを１８μｍとする蒸気抜き包装袋である。
【００３０】
このように、比較例の蒸気抜き包装袋は、蒸気口の深さＨと、シーラント以外の層の厚みと、易開封線の深さｈとは、蒸気口の深さＨ＝易開封線の深さｈ＞シーラント以外の層の厚みの関係を満たす。
【００３１】
＜評価＞
実施例及び比較例の蒸気抜き包装袋の上部から、内容物として水５０ｃｃを収納し、上部をヒートシールして上シール部を設けて密封した後、電子レンジで出力６００Ｗで２分間加熱した結果、実施例の蒸気抜き包装袋では、蒸気口が開き、開いた蒸気口から蒸気が抜けたのに対して、比較例の蒸気抜き包装袋では、蒸気口を設けていない裏フィルムの易
開封線が開き、開いた易開封線から蒸気が抜けた。
【００３２】
電子レンジ加熱後、ノッチから表フィルムと裏フィルムとを引裂いたところ、実施例及び比較例のいずれの蒸気抜き包装袋でも、容易に開封予定線に沿って引き裂けて開封できた。
【符号の説明】
【００３３】
１…蒸気抜き包装袋
２…表フィルム
３…裏フィルム
４…左側シール部
５…右側シール部
６…下シール部
７…ノッチ
８…ノッチ
９…蒸気口
１０…易開封線
１２…易開封線
２０…積層フィルム
２１…シーラント層（内層）
２２…シーラント以外の層（外層）
１００…蒸気抜き包装袋
１０１…表フィルム
１０２…裏フィルム
１０３…蒸気口
１０４…裂け目
Ｈ…蒸気口の深さ
ｈ…易開封線の深さ
【図１】
2019069797.tif 000003
【図２】
2019069797.tif 000004
【図３】
2019069797.tif 000005
【図４】
2019069797.tif 000006
【図５】
2019069797.tif 000007